(57)【特許請求の範囲】
【請求項１】
前後左右壁材からなり横断面が略正方形状で中空の四角筒で、上部には左右上端が内方にコ字状に屈曲している雨樋を取り付け、前記前壁材の中央部には開口部を形成するとともに前記開口部の下部には上端が折り返されているくの字形状のガイド部材を取り付けた本体と、前記本体の上部に取り付けられ左右取付部を設けた上飾りの下方に前記上飾りより小さく中飾りが、前記中飾りの下方には前記中飾りより更に小さい下飾りを段差状に連設するとともに針金を前記左右取付部及び前記本体の後壁材に穿設されている挿通孔に挿通させて取り付けたコ字状の飾り部と、中央部には平坦部を、前記平坦部の上部には折り返されて折返部を、前記平坦部の下方にはＬ字状に湾曲する垂下部を設け、前記垂下部の左右側には左右突出部を、前記平坦部の左右側には凹状の左右溝部を、前記左右溝部の外側には左右起立部を連設したプレートの前記平坦部の上面で左右起立部内及び折返し部内に金網を装着させたプレートを前記雨樋から落下した雨水を受けとめるためにプレートの上端部は後壁材の内面の上部に固定してあるとともにプレートの下端は前壁材に形成してある開口部の下部に固定してある前記くの字形状のガイド部材の近接位置に、前記プレートの下端と前記ガイド部材上端の間に間隙を形成し、間隙が金網に覆われるように固定し、本体の内部に傾斜させて取り付けた受け板と、前記開口部の下方に流入口を設けて取り付けたガイド部材の下方の前記流入口の下方に鋲により前記本体の前壁材に取り付け、雨水と雨水中に含まれているゴミとを分別するくの字形状の分別板とからなることを特徴とするゴミ侵入防止雨樋。
【発明の詳細な説明】
【０００１】
【産業上の利用分野】
本発明は、屋根に取り付けて、落下する雨水中に存在するゴミが雨樋内に入り込むのを防止するためのゴミ侵入防止雨樋の改良に関する発明である。
【０００２】
【従来の技術】
従来の雨樋は、実用新案出願公開昭６１−１２３４１３６号の公開公報に記載されている「網状の蓋付雨樋」の考案のように、雨樋の上部に多数の孔が形成されている網状の雨樋蓋を取り付けて、雨水とともに雨樋に流れ落ちるゴミが雨樋の中に流れ落ちるのを防止する構造である。
【０００３】
また、本願出願人が、平成１２年６月２３日付けで特許出願（特願２０００−１８８７００号）したゴミ侵入防止雨樋の発明がある。
【０００４】
【発明が解決しようとする課題】
しかしながら、従来の前記「網状の蓋付雨樋」等は、「網状の蓋」には多数の孔が形成されていいる為に、その孔を通り雨樋の中に微細なゴミ等は、雨水とともに前記孔を通り雨樋中に流入してしまい、長年使用していると微細なゴミが堆積してしまうとの問題が発生する。
【０００５】
また、雨樋に堆積した堆積ゴミが除去するために定期的に除去するための清掃が必要となり、手間暇がかかるとの欠点がある。
【０００６】
そこで、本発明は、長年使用していても微細なゴミが雨樋の中に堆積することがなく、長期間使用していても雨樋にゴミが堆積することがなく、また、堆積したゴミを除去する定期的な清掃をする必要のない雨樋を提供することを目的とするものである。
【０００７】
【課題を解決するための手段】
本願発明は、上記の課題を解決するために、
前後左右壁材３ａ、３ｃ、３ｄ、３ｏからなり横断面が略正方形状で中空の四角筒で、上部には左右上端が内方にコ字状に屈曲している雨樋２を取り付け、前記前壁材３ａの中央部には開口部３ｂを形成するとともに前記開口部３ｂの下部には上端が折り返されているくの字形状のガイド部材３ｅを取り付けた本体３と、前記本体３の上部に取り付けられ左右取付部４ａ、４ｄを設けた上飾り４ａの下方に前記上飾りより小さく中飾り４ｂが、前記中飾り４ｂの下方には前記中飾りより更に小さい下飾り４ｃを段差状に連設するとともに針金１０を前記左右取付部４ａ、４ｄ及び前記本体３の後壁材３ｏに穿設されている挿通孔３ｋに挿通させて取り付けたコ字状の飾り部４と、中央部には平坦部５ｋを、前記平坦部５ｋの上部には折り返されて折返部５ｊを、前記平坦部５ｋの下方にはＬ字状に湾曲する垂下部５ｇを設け、前記垂下部５ｇの左右側には左右突出部５ｈ、５ｉを、前記平坦部５ｋの左右側には凹状の左右溝部５ｅ、５ｆを、前記左右溝部５ｅ、５ｆの外側には左右起立部５ｃ、５ｄを連設したプレート５ｂの前記平坦部５ｋの上面で左右起立部５ｃ、５ｄ内及び折返し部５ｊ内に金網５を装着させたプレート５ｂを前記雨樋２から落下した雨水を受けとめるためにプレート５ｂの上端部は後壁材３ｏの内面の上部に固定してあるとともにプレート５ｂの下端は前壁材３ａに形成してある開口部３ｂの下部に固定してある前記くの字形状のガイド部材３ｅの近接位置に、前記プレート５ｂの下端と前記ガイド部材３ｅ上端の間に間隙３ｎを形成し、間隙３ｎが金網５ａに覆われるように固定し、本体３の内部に傾斜させて取り付けた受け板５と、
前記開口部３ｂの下方に流入口３ｍを設けて取り付けたガイド部材３ｅの下方の前記流入口３ｍの下方に鋲７、７により前記本体３の前壁材３ａに取り付け、雨水１３と雨水中に含まれているゴミ１４とを分別するくの字形状の分別板６とからなることを特徴とするゴミ侵入防止雨樋１の構成とした。
【０００８】
【実施例】
以下に、添付図面に基づいて本発明であるゴミ侵入防止雨樋を詳細に説明する。図１は、本発明であるゴミ侵入防止雨樋の正面図である。
【０００９】
図１に示すように、本発明であるゴミ侵入防止雨樋１は、上部には雨樋２が固定され、中央部には開口部３ｂが形成されているとともに開口部３ｂの下方にガイド部材３ｅがあり、下部には段差部３ｆ及び排出部３ｊが形成されている本体３と、本体３の上部に取り付けられている飾り部４と、本体３の内部に傾斜させて取り付けられていて金網５ａ及びプレート５ｂとからなる受け板と、前記開口部３ｂの下に取り付けられている分別板６とからなる。
【００１０】
本体３の上端には飾り部４が取り付けられている。飾り部４は、図４に示すように、コ字状の形状をしていて、飾り部４は、上飾り４ａと中飾り４ｂと下飾り４ｃとからなる。上飾り４ａの下方に中飾り４ｂが連設され、中飾り４ｂの下方には下飾り４ｃが連設されている。
【００１１】
図１に示すように、上飾り４ａが上下幅及び横幅が最も大きく、中飾り４ｂが上飾り４ａよりは小さく、下飾り４ｃは中飾り４ｂよりは更に小さく、上飾り４ａと中飾り４ｂと下飾り４ｃは段差状に連設されている。
【００１２】
本体３は、横断面が略正方形状で中空の四角筒である。そして、本体３の上部には正面が平坦に形成されている前壁材３ａがある。そして、中央部には開口部３ｂが形成されていて、開口部３ｂの内方には金網５ａが取り付けられている。開口部３ｂの左側には左壁材３ｃがあり、右には右壁材３ｄがある。
【００１３】
開口部３ｂの下方にはガイド部材３ｅが設けられていて、ガイド部材３ｅの下方には流入口３ｍが形成され、流入口３ｍの下方には分別板６が固定されている。分別板６は鋲７、７により本体３に固定されている。
【００１４】
そして、本体３の下部は段差状に形成されている段差部３ｆが連設されている。即ち、上から下に上傾斜部３ｇ、起立部３ｈ、下傾斜部３ｉの順に形成されていて、段差部３ｆを形成している。段差部３ｆの下方には、雨水を排出する排出部３ｊが連設されている。そして、本体３の上部には雨樋２が固定されている。
【００１５】
図２は、本発明であるゴミ侵入防止雨樋の背面図である。図２に示すように、飾り部４の上飾り４ａの上部の左方には左取付部４ｄが設けてあるとともに、右方には右取付部４ｅが設けてある。
【００１６】
左右取付部４ｄ、４ｅには、針金１０が挿通することができる挿通孔４ｇ、４ｆが形成されている。針金１０は、後壁材３ｏの上端部に形成されている挿通孔３ｋに挿通されている。
【００１７】
図３は、本発明であるゴミ侵入防止雨樋の左側面図である。図３に示すように、横断面形状が略正方形状の本体３の上部には、断面形状が略Ｕ字形の雨樋２が取り付けられている。雨樋の左上端はコ字状に内方に屈曲し、雨樋の右上端もまたコ字状に内方に屈曲している。
【００１８】
図３に示すように、飾り部４は、前壁材３ａの上端及び雨樋２のコ字状に屈曲している上に接合されている。雨樋２は、雨樋２のコ字状に屈曲されている左上端及び右上端を前係止片８及び後係止片９が覆い被さるようにした本体３の上部に係止されている。
【００１９】
針金１０は、雨樋２の右上端及び本体３の前壁材３ａの上端に取り付けられている飾り部４を揺動しないように安定させるための針金である。針金１０は、後壁材３ｏの上部に穿設されている挿通孔３ｋに挿通されている。
【００２０】
前壁材３ａの下部には、鋲７により分別板６が固定されている。分別板６は、くの字形状をしていて外方に突出している。分別板６は、雨水と雨水中に含まれているゴミとを分別するためのものである。
【００２１】
図４は本発明であるゴミ侵入防止雨樋の平面図、図５は本発明であるゴミ侵入防止雨樋の底面図である。図４に示すように、飾り部４は、コ字状に形成されていて、飾り部４のコーナには三角形状の左取付部４ｄ及び右取付部４ｅがある。
【００２２】
雨樋２には、雨樋２に降った雨水が本体３内に落下するための円形状の落下口２ｅが穿設されている。また、図３及び図５に示すように、排出部３ｊはＬ字形である。符号３ｌは、本体３から流れてくる雨水が流れ出るための流出口である。
【００２３】
図６は、本発明であるゴミ侵入防止雨樋の縦断面図である。図６に示すように、本体３には開口部３ｂが形成されていて、本体３の内部には雨樋２に降った雨水を受けるための受け板５が傾斜して設置してある。
【００２４】
受け板５の上端部は、後壁材３ｏの内面の上部に固定されている。即ち、雨樋２の左方の位置に固定されている。そして、受け板５の下端は、前壁材３ａに形成されている開口部３ｂの下部に固定されているくの字形状のガイド部材３ｅの近接位置にあるように、本体３内に固定されている。
【００２５】
開口部３ｂの下方に固定されているくの字形状のガイド部材３ｅの下方には、くの字形状の分別板６が固定されていて、ガイド部材３ｅの表面にガイドされて流れ落ちる雨水が流入する流入口３ｍが形成されている。
【００２６】
流入口３ｍは開口部３ｂの一部であり、開口部３ｂの下部がガイド部材３ｅにより仕切られてできている流入口である。くの字形状のガイド部材３ｅの上端は折り返されている。これは、雨水の流れをスムーズにガイドできるようにするためである。
【００２７】
図７は、本発明であるゴミ侵入防止雨樋を構成する受け板をプレートと金網を分離させた状態の斜視図である。図７に示すように、受け板５は、金網５ａとプレート５ｂからなる。
【００２８】
図７に示すように、金網５ａは、長方形状に形成されている。金網５ａは金属製であるが、必要に応じて合成樹脂製、布製でもよい。金網５ａを装着させるプレート５ｂは、略長方形状である。
【００２９】
プレート５ｂの中央部には平坦部５ｋがあり、平坦部５ｋの上部は折り返されて折返し部５ｊがある。平坦部５ｋの下方には、垂下部５ｇがＬ字状に湾曲して形成されている。また、垂下部５ｇの左側には左突出部５ｈが突出しているとともに、右側には右突出部５ｉが突出している。
【００３０】
平坦部５ｋの左側には凹状の左溝部５ｅが、平坦部５ｋの右側には凹状の右溝部５ｆが平坦部５ｋに形成されている。そして、左溝部５ｅの外側には左起立部５ｃが連設されていて、右溝部５ｆの外側には右起立部５ｄが連設されている。金網５ａは、プレート５ｂの平坦部５ｋ上面で左右起立部５ｃ、５ｄ内及び折返し部５ｊ内に装着する。
【００３１】
図８は、本発明であるゴミ侵入防止雨樋を住宅の屋根に取り付けた状態を示した図である。図８に示すように、本願発明であるゴミ侵入防止雨樋１は、屋根１２に降った雨水が流れ落ちる屋根１２の下端に設置する。排出部３ｊには、排水管１１を接続する。
【００３２】
図９は、本発明であるゴミ侵入防止雨樋に雨水が流れ落ちる状態を示した縦断面図である。図９に示すように、雨樋２内に屋根１２から流れ落ちてくるゴミ１４を含んだ雨水１３は、雨樋２に形成されている落下口２ｅから受け板５上に落下する。
【００３３】
ゴミ１４を含んだ雨水１３が、受け板５の上面に固定されている金網５ａ上に落下すると、受け板５は傾斜しているので受け板５の下部の方向に流れ落ちる。ゴミ１４を含んだ雨水１３は、矢印１５及び矢印１６に示すようにガイド部材３ｅの方向に流れ落ちる。
【００３４】
そして、雨水１３の大半は、プレート５ｂの下方にＬ字形に形成されている垂下部５ｇにガイドされて、ガイド部材３ｅと垂下部５ｇ間に形成されている間隙３ｎから矢印１６ａに示すように落下する。
【００３５】
雨水１３中に含まれているゴミ１４は、矢印１５、１５ａ、１５ｂに示すように、間隙３ｎ及び流入口３ｍから流入することなく、本体３外に落下して行く。間隙３ｎに流入しなかった雨水１３ａは、ガイド部材３ｅにガイドされて排出部３ｊ内に落下し、ゴミ１４が除去された雨水１７と一緒になり、流出口３ｌから矢印１８に示すように排水管１１に流れ出る。
【００３６】
雨樋２から受け板５の金網５ａ上に落下した雨水１３は、金網５ａにより飛散することが無くなる。雨水１３と雨水１３中にあるゴミ１４は、分別板６により分けられて、ゴミ１４のみが開口部３ｂの下部から本体３外に落下する。
【００３７】
【発明の効果】
本発明は以上の構成であるから、大雨時の雨水であってもガイド部材の表面を流れて排出部に導かれるために、溢れ出て雨水受けから流出して地表に落下することがない。
【００３８】
雨水に混入している微細なゴミであっても、受け板の表面を流れている間に、受け板から雨水を受ける排出部に入る前に排除されるために、雨水を受ける排出部内の底面に堆積することがない。
【００３９】
また、微細なゴミでも、雨水受け内に侵入することが困難であるために、雨水受け内に堆積することがなく、長年に亘り屋根に取り付けて使用していても、頻繁に雨水受け内の清掃をする必要がない。
【図面の簡単な説明】
【図１】  本発明であるゴミ侵入防止雨樋の正面図である。
【図２】  本発明であるゴミ侵入防止雨樋の背面図である。
【図３】  本発明であるゴミ侵入防止雨樋の左側面図である。
【図４】  本発明であるゴミ侵入防止雨樋の平面図である。
【図５】  本発明であるゴミ侵入防止雨樋の底面図である。
【図６】  本発明であるゴミ侵入防止雨樋の縦断面図である。
【図７】  本発明であるゴミ侵入防止雨樋を構成する網と受け板とを示した斜視図である。
【図８】  本発明であるゴミ侵入防止雨樋を取り付けた状態を示した図である。
【図９】  本発明であるゴミ侵入防止雨樋に雨水が流れ落ちる状態を示した縦断面図である。
【符号の説明】
１            ゴミ侵入防止雨樋
２            雨樋
２ａ          雨水雨樋
２ｂ          雨樋内
２ｃ          上端
２ｄ          上端
２ｅ          落下口
３            本体
３ａ          前壁材
３ｂ          開口部
３ｃ          左壁材
３ｄ          右壁材
３ｅ          ガイド部材
３ｆ          段差部
３ｇ          上傾斜部
３ｈ          起立部
３ｉ          下傾斜部
３ｊ          排出部
３ｋ          挿通孔
３ｌ          流出口
３ｍ          流入口
３ｎ          間隙
３ｏ          後壁材
３ｐ          右壁面
４            飾り部
４ａ          上飾り
４ｂ          中飾り
４ｃ          下飾り
４ｄ          左取付部
４ｅ          右取付部
４ｆ          挿通孔
４ｇ          挿通孔
５            受け板
５ａ          金網
５ｂ          プレート
５ｃ          左起立部
５ｄ          右起立部
５ｅ          左溝部
５ｆ          右溝部
５ｇ          垂下部
５ｈ          左突出部
５ｉ          右突出部
５ｊ          折返し部
５ｋ          平坦部
６            分別板
７            鋲
８            前係止片
９            後係止片
１０          針金
１１          排水管
１２          屋根
１３、１３ａ  雨水
１４          ゴミ
１５〜１５ｂ  矢印
１６〜１６ｂ  矢印
１７          雨水
１８          矢印
【図１】
0003640069.tif 000002
【図２】
0003640069.tif 000003
【図３】
0003640069.tif 000004
【図４】
0003640069.tif 000005
【図５】
0003640069.tif 000006
【図６】
0003640069.tif 000007
【図７】
0003640069.tif 000008
【図８】
0003640069.tif 000009
【図９】
0003640069.tif 000010